(57)【特許請求の範囲】
【請求項１】
植生が行われる法面上の横方向に設置される流亡防止材であって、
この流亡防止材を、前記法面側に当接されて、当該法面との間の隙間を埋めることになる軟質部と、この軟質部上に一体化される硬質部とにより構成して、
この硬質部が、これ自体の自重、または、この硬質部を固定部材により前記法面に固定したときの力によって、前記軟質部の全体を押圧するようにしたことを特徴とする流亡防止材。
【請求項２】
植生を行うための基帯を法面上に保持すべく、当該法面上の横方向に設置される流亡防止材であって、
この流亡防止材を、前記法面側に当接されて、当該法面との間の隙間を埋めることになる軟質部と、この軟質部上に一体化される硬質部とにより構成して、
この硬質部が、これ自体の自重、または、この硬質部を固定部材により前記法面に固定したときの力によって、前記軟質部の全体を押圧するようにしたことを特徴とする流亡防止材。
【請求項３】
法面の植生を行う植生工法であって、
前記法面側に当接されて、当該法面との間の隙間を埋めることになる軟質部と、この軟質部上に一体化される硬質部とにより構成した流亡防止材を、当該法面上の横方向に設置するとともに、
この流亡防止材を前記硬質部にて前記法面に圧接させることにより前記軟質部を変形させて、当該軟質部が前記法面と流亡防止材との間の隙間を埋めるようにしたことを特徴とする植生工法。
【請求項４】
植生を行うための基帯を法面上に展開施工して、当該法面の植生を行う植生帯工法であって、
前記法面側に当接されて、当該法面との間の隙間を埋めることになる軟質部と、この軟質部上に一体化される硬質部とにより構成した流亡防止材によって、前記法面上に展開施工した前記基帯を前記法面に保持させるとともに、
この流亡防止材を前記硬質部にて前記法面に圧接させることによって、前記軟質部が前記法面と流亡防止材との間の隙間を埋めるようにしたことを特徴とする植生帯工法。
【請求項５】
法面の植生を行うための植生材であって、
前記法面上に敷設されることになる基帯と、この基帯を前記法面上に保持させる流亡防止材とを備え、
この流亡防止材を、前記法面側に当接されて、当該法面との間の隙間を埋めることになる軟質部と、この軟質部上に一体化される硬質部とにより構成して、
この硬質部が、これ自体の自重、または、この硬質部を固定部材により前記法面に固定したときの力によって、前記軟質部の全体を押圧するようにしたことを特徴とする植生材。
【請求項６】
前記流亡防止材は前記法面上に圧接する押圧部材を備えたことを特徴とする請求項５に記載の植生材。
【請求項７】
前記基帯は植生袋を備えたものであることを特徴とする請求項５または請求項６に記載の植生材。
【発明の詳細な説明】
【技術分野】
【０００１】
本発明は、法面の保護を行う植生を施すのに用いられる流亡防止材、これを使用した植生工法または植生帯工法、及び植生材に関し、特に、新規造成地や山間地の切り通しにできる法面や崖に植生を施すための流亡防止材、これを使用した植生工法または植生帯工法、及び植生材に関するものである。
【背景技術】
【０００２】
傾斜面である法面は、コンクリートで固めてしまう以外は崩れ易いものであるが、法面全面をコンクリートで固めてしまうことは、生物環境保全や景観の保護が行いにくいことから、近年では余りなされていない。むしろ、法面に植物を積極的に生育させて、その根による法面保護を行う、所謂「植生工法」が多用されてきている。
【０００３】
勿論、急峻な崖や岩盤が多い法面等においては、図１６にも示すように、コンクリート製の法枠を法面上に形成し、この法枠によって法面上をまず物理的に保護しておいて、この保護内に植生工法を施すことも行われている。
【０００４】
以上のような植生工法としては、大別して２つの方法が一般的に採用されている。第１の植生工法は、出願人も特許文献１等において種々提案してきているような、植生植物種子を種々な形態で取り付けた「植生帯」を法面上に敷設する工法（以下、植生帯工法という）であり、第２の植生工法は、植生植物種子や根茎を土砂や植生基盤材とともに法面に吹き付ける、所謂「吹き付け工法」である。
【０００５】
植生帯工法では、種子等を取り付けた植生帯（網状、シート状あるいはマット状のものがある）を法面上に敷設（一般的には、法面の上方から展開させる）するだけで植生帯工法がほぼ完了するから、急峻な山間地における法面の植生が行い易いという長所がある。
【０００６】
しかしながら、展開しただけの植生帯を、法面上の凹凸にぴったりと密着させることは困難であり、この植生帯と法面との間に隙間（所謂、「不陸」）が発生し易い。この隙間が存在すれば、植生帯自体に備えた、あるいは植生帯に取り付けた植生袋に収納された種子や、植生基盤材等の、植生に使用される種々な材料の乾燥を招き易く、その結果、植生植物の種子の発芽や発根が著しく困難になる。それだけでなく、隙間あるいは不陸は、乾燥状態を形成し易いから、上記種子が折角発芽してもその後に枯れ死させてしまうことにもなる。
【０００７】
また、この植生帯工法においても、長雨があったり、大量の雨水が法面の上流側から流れてくると、植生帯自体が備えていた、あるいは設けてあった種子や植生基盤材等が植生帯から流れ落ち、これらが雨水によって法面から流れ去ってしまう（所謂、流亡）ことがある。
【０００８】
一方、吹き付け工法では、植生植物の種子または根茎、土砂や植生基盤材等を水に混合して、ポンプによって法面上に吹き付けるものであるから、植物の生育時期を考慮して施工しなければならない。何故なら、冬季のように、植生植物が発芽（種子の場合）も生育（根茎の場合）もしない時期に行えば、発芽や生育するまでの間に、雨や解けた雪によって種子や植生基盤材が「流亡」してしまうことになるからである。
【０００９】
この流亡をできるだけ防止するために、図１６に示したような法枠工法が採用されるのであるが、この法枠工法では、法枠形成と法面上の物理的保護のために、法面上に「ラス網」を張設しておき、このラス網によって法面からの岩等の崩落を防止しながらこのラス網を法枠の一部とし、さらにこのラス網内に種子や植生基盤材が絡み込むようになされる。しかしながら、この法枠工法において吹き付け工法を冬季に採用すれば、発芽や生育するまでの期間に、雨や解けた雪によって種子や植生基盤材が「流亡」してしまうことは避けられない。
【００１０】
特に、吹き付け工法においては、上記の「流亡防止」を図るために、吹き付ける植生基板材内に「接着剤」を混入することがあるが、この接着剤は植生植物の発芽や生育に支障を来すことがある。また、客土吹き付けや厚層吹き付けでは、高いポンプ圧が必要であることから、これらの吹き付け工法は、機械導入の困難な高所での施工には向かないこともある。
【先行技術文献】
【特許文献】
【００１１】
【特許文献１】特許第２７７４９８６号掲載公報
【発明の概要】
【発明が解決しようとする課題】
【００１２】
要するに、植生工法あるいは植生帯工法も、吹き付け工法も、それぞれ一長一短があるが、それでも大面積の法面であれば、スケールメリットによって短所を解消しながら施工することはできるが、小面積であると、どうしても「植生帯工法」に軍配が上がる。
【００１３】
そこで、本発明者等は、大面積は勿論、小面積であっても、流亡防止を図ることができて、基帯の法面に対する「不陸」の解消が行える植生帯工法とするにはどうしたらよいか、について種々検討を重ねてきた結果、本発明を完成したのである。
【００１４】
すなわち、本発明の第１目的は、流亡防止を図ることができて、季節を問わず効率的に施工できる、植生のための流亡防止材を簡単な構成によって提供することにある。
【００１５】
また、本発明の第２目的は、流亡防止を図ることができるだけでなく、植生を行うための基帯（植生帯）と法面との間の「不陸（隙間）」を容易に解消できて、季節を問わず効率的な植生帯工法が行える流亡防止材を簡単な構成によって提供することにある。
【００１６】
さらに、本発明の第３目的は、流亡防止を図ることができて、植生のために、季節を問わず効率的な施工が行える流亡防止材を使用した植生工法を提供することにある。
【００１７】
また、本発明の第４目的は、流亡防止を図ることができることは勿論、基帯と法面との間の「不陸（隙間）」を容易に解消できて、季節を問わず効率的な施工が行える流亡防止材を使用した植生帯工法を提供することにある。
【００１８】
そして、本発明の第５目的は、流亡防止を図ることができることは勿論、基帯と法面との間の「不陸（隙間）」を容易に解消できて、季節を問わず効率的な施工が行える流亡防止材を使用した植生材を提供することにある。
【課題を解決するための手段】
【００１９】
以上の課題を解決するために、まず、請求項１に係る発明の採った手段は、後述する最良形態の説明中で使用する符号を付して説明すると、
「植生が行われる法面２００上の横方向に設置される流亡防止材１０であって、
この流亡防止材１０を、法面２００側に当接されて、当該法面２００との間の隙間を埋めることになる軟質部１１と、この軟質部１１上に一体化される硬質部１２とにより構成して、
この硬質部１２が、これ自体の自重、または、この硬質部１２を固定部材４０により法面２００に固定したときの力によって、軟質部１１の全体を押圧するようにしたことを特徴とする流亡防止材１０」
である。
【００２０】
この請求項１に係る流亡防止材１０は、図１〜図５または図８〜図１３に例示するように、法面２００上の横方向に設置されるものである。この流亡防止材１０を法面２００に設置するには、図２及び図７に例示するように、流亡防止材１０自体の重量を利用して、法面２００上にただ単に載置するか、あるいは当該流亡防止材１０を後述する押圧部材４０等によって法面２００に対して固定してもよい。
【００２１】
この流亡防止材１０は、図１〜図５または図８〜図１３に示すように、法面２００側に当接される軟質部１１と、この軟質部１１上に一体化されて、基帯２０に取り付けられる硬質部１２とにより構成したものである。
【００２２】
この流亡防止材１０を構成している軟質部１１は、法面２００側に向けて施工されるものであり、ラス網２１０が張設されていない法面２００においては、法面２００上に直接当接されたり、ラス網２１０が張設されている法面２００においては、図１１及び図１２に示すように、ラス網２１０上に当接されるものである。
【００２３】
また、この軟質部１１は、当該流亡防止材１０が法面２００側に圧接されたとき、その軟質性によって法面２００自体やラス網２１０の凹凸に応じて変形するものであり、図３、図４、図９あるいは図１２に示すように、当該軟質部１１と法面２００との間の不陸（隙間）を埋めるものである。また、この軟質部１１は、図５、図１１、または図１２に示すように、法面２００上に張設したラス網２１０自体の編み目内を埋めるだけでなく、この編み目を通して法面２００に達することによりラス網２１０と法面２００との間の隙間を埋めて、これらの間の不陸を解消するものである。
【００２４】
このため、この軟質部１１を形成する材料としては、後述する実施形態で説明する合成樹脂製のスポンジの他、ヤシガラ繊維等の自然繊維、あるいは紙繊維がある。これらの自然繊維や、紙繊維等を採用する場合には、押せば潰れる程度、つまり上述した軟質性が確保できる程度の構造材として実施してもよい。
【００２５】
硬質部１２は、その硬質性によって、上記軟質部１１を下面にて支持することは勿論、図３〜図５に示すように、その自重によって軟質部１１を押圧するか、図９〜図１２に示すように、押圧部材４０という一部分によって法面２００に固定されたとき、軟質部１１の全体を押圧することになるものである。この硬質部１２は、上記の機能を発揮できるのであれば、その材料については特に限定されないが、コンクリートや木材によって構成される。
【００２６】
そして、以上の流亡防止材１０は、図１０〜図１２に示すように、押圧部材４０によって法面２００側に圧接されることもある。この押圧部材４０は、具体的にはアンカーや杭であるが、法面２００上に当該流亡防止材１０を圧接してその状態を維持でき、法面２００からの転落が防止できるのであれば、目串のようなその他の土木資材であってもよいものである。
【００２７】
さて、流亡防止材１０の軟質部１１は、図２または図１３に示すように、法面２００側に当接されて、当該法面２００との間の隙間を埋めることになるものである。何故なら、この軟質部１１は、その上側に一体化した硬質部１２により変形しないように保持されていて、この硬質部１２からの押圧力（自重または押圧部材４０による）を得て変形し、この変形によって法面２００またはその上のラス網２１０の凹凸になじむことになるからである。
【００２８】
この流亡防止材１０の軟質部１１が、変形して法面２００またはその上のラス網２１０の凹凸になじめば、図３〜図５あるいは図９〜図１２に示すように、当該流亡防止材１０は法面２００上での「堰」を形成することになる。このため、当該流亡防止材１０の上側から流れてきた土砂５０は勿論のこと、後述する基帯２０や植生袋３０が有していた種子３２、植生基盤材３１、肥料、そして風化した基帯２０や植生袋３０まで「堰き止める」ことになり、これらの流亡を防止するのである。
【００２９】
このように、この流亡防止材１０は、土砂５０や、基帯２０が有していた種子３２や植生基盤材３１等の流亡を防止するのであるから、植生工法あるいは植生帯工法において使用された植生植物の種子３２や根茎は、その発芽や成育条件が整うまで当該流亡防止材１０によって保持されることになる。換言すれば、この流亡防止材１０を使用すれば、植生工法あるいは植生帯工法は、雨期に限らず施工できるのであり、季節的制限を受けることなく常時施工できるのである。
【００３０】
従って、この請求項１に係る流亡防止材１０は、流亡防止を図ることができて、植生工法または植生帯工法を季節を問わず効率的に施工できるようにするのである。
【００３１】
また、以上の課題を解決するために、請求項２に係る発明の採った手段は、後述する最良形態の説明中で使用する符号を付して説明すると、
「植生を行うための基帯２０を法面２００上に保持すべく、当該法面２００上の横方向に設置される流亡防止材１０であって、
この流亡防止材１０を、法面２００側に当接されて、当該法面２００との間の隙間を埋めることになる軟質部１１と、この軟質部１１上に一体化される硬質部１２とにより構成して、
この硬質部１２が、これ自体の自重、または、この硬質部１２を固定部材４０により法面２００に固定したときの力によって、軟質部１１の全体を押圧するようにしたことを特徴とする流亡防止材１０」
である。
【００３２】
この請求項２に係る流亡防止材１０は、図１〜図５または図８〜図１３に示すように、法面２００上に展開されて植生帯工法を施工するための基帯２０を、この基帯２０の展開後または前に、法面２００上に固定するものである。そのために、この流亡防止材１０は、図２または図１３に示すように、基帯２０の幅程度の長さを有して、法面２００の横方向に配置されることになるものである。
【００３３】
この流亡防止材１０によって基帯２０を法面２００に固定するには、図２及び図７に示すように、流亡防止材１０自体の重量を利用して、法面２００上に展開した基帯２０の上に載置してもよい。あるいは、図１３に示すように、当該流亡防止材１０を法面２００と展開した基帯２０との間に収納して、当該流亡防止材１０を後述する押圧部材４０等によって法面２００に対して固定してもよい。さらには、当該流亡防止材１０を基帯２０に形成しておいた収納部（図示せず）内に収納してもよい。
【００３４】
この流亡防止材１０は、図１〜図５または図８〜図１３に示すように、法面２００側に当接される軟質部１１と、この軟質部１１上に一体化されて、基帯２０に取り付けられる硬質部１２とにより構成したものである。
【００３５】
この流亡防止材１０を構成している軟質部１１は、法面２００側に向けて施工されるものであり、ラス網２１０が張設されていない法面２００においては、図１あるいは図２に示すように、法面２００上に展開した基帯２０の上に直接当接されたり、ラス網２１０が張設されている法面２００においては、図１１及び図１２に示すように、ラス網２１０上に当接されるものである。
【００３６】
また、この軟質部１１は、当該流亡防止材１０が法面２００側に圧接されたとき、その軟質性によって法面２００自体やラス網２１０の凹凸に応じて変形するものであり、図３、図４、図９あるいは図１２に示すように、当該軟質部１１と法面２００との間の不陸（隙間）を埋めるものである。また、この軟質部１１は、図５、図１１、または図１２に示すように、法面２００上に張設したラス網２１０自体の編み目内を埋めるだけでなく、この編み目を通して法面２００に達することによりラス網２１０と法面２００との間の隙間を埋めて、これらの間の不陸を解消するものである。
【００３７】
なお、当該流亡防止材１０の下側に基帯２０を施工する場合には、この基帯２０を網状のものとしておけば、流亡防止材１０が法面２００側に圧接されたとき、流亡防止材１０の軟質部１１がその軟質性によって基帯２０の編み目を通して法面２００やラス網２１０に当接あるいは侵入する。これにより、流亡防止材１０が法面２００側に圧接されたとき、流亡防止材１０の軟質部１１がその軟質性によって法面２００自体やラス網２１０の凹凸に応じて変形することになる。
【００３８】
この軟質部１１を形成する材料としては、後述する実施形態で説明する合成樹脂製のスポンジの他、ヤシガラ繊維等の自然繊維、あるいは紙繊維がある。これらの自然繊維や、紙繊維等を採用する場合には、押せば潰れる程度、つまり上述した軟質性が確保できる程度の構造材として実施してもよい。
【００３９】
硬質部１２は、その硬質性によって、上記軟質部１１を下面にて支持することは勿論、図３〜図５に示すように、その自重によって軟質部１１を押圧するか、図９〜図１２に示すように、押圧部材４０によって法面２００に固定されたとき軟質部１１を押圧することになるものである。
【００４０】
この硬質部１２は、上記の機能を発揮できるのであれば、その材料については特に限定されないが、コンクリートによって形成することにより押圧のための自重を大きくしたり、木材によって構成することにより、流亡防止材１０のコストを低減させたり、図１０や図１２に示すように、当該硬質部１２に基帯２０を取り付け必要がある場合の、留め材１３にての留め作業を簡単にする。
【００４１】
なお、本発明が対象としている植生帯工法は、基帯２０を法面２００上から下方に向けて展開することを基本とするものであるから、この基帯２０の長手方向と直交する方向に向けながら、当該流亡防止材１０を基帯２０上に載置するか法面２００側に固定すると、この流亡防止材１０は、自然に法面２００の横方向に配置されることになる。
【００４２】
また、以上の流亡防止材１０は、図１０〜図１２に示すように、押圧部材４０によって法面２００側に圧接されることもあるが、この押圧部材４０は、具体的にはアンカーや杭であるが、法面２００上に当該流亡防止材１０を圧接してその状態を維持でき、法面２００からの転落が防止できるのであれば、目串のようなその他の土木資材であってもよいものである。
【００４３】
基帯２０は、現状では種々なタイプのものがあり、前述したように、例えば図６あるいは図１３に示すように網状にしたもの、自然繊維から形成したシート状のもの、あるいは、シート状より厚いマット状のものなど、種々なものがある。また、この基帯２０は、植生基盤材３１、種子３２、肥料、土壌改良材の何れか少なくとも一種を備えたもの、あるいはこれらの植生基盤材３１、種子３２、肥料、土壌改良材の何れか少なくとも一種を入れた植生袋３０を設けたもの等、植生に必要なものを備えたものであってもよい。
【００４４】
なお、種子３２としては、当該基帯２０自体が予め備えていたもの、あるいは予め設けてあった植生袋３０内にあったものは勿論、自然に飛来してきたものがある。同様に、土砂５０についても、当該基帯２０自体が有していたものや、当該流亡防止材１０上の法面２００表面から流れ落ちて来たものがある。
【００４５】
何れにしても、この基帯２０は、展開する前には巻回しておくことができて、法面２００の上端から転がすと法面２００上への展開が容易に行える程度の可撓性を有したものである。勿論、図２または図１３に示すように、上述した流亡防止材１０の軟質部１１が容易に入り込める程度の「目」を有していたり、図７または図１５に示すような収納部２１を有したものである。
【００４６】
この基帯２０には、例えば図１３に示すように、工場等で流亡防止材１０を予め取り付けておくか、あるいは法面２００上に展開した基帯２０の例えば下側に横側から挿入して、上になった基帯２０とに対して固定されるものである。
【００４７】
さて、流亡防止材１０の軟質部１１は、図２または図１３に示すように、法面２００側に当接されて、当該法面２００との間の隙間を埋めることになるものである。何故なら、この軟質部１１は、その上側に一体化した硬質部１２により変形しないように保持されていて、この硬質部１２からの押圧力（自重または押圧部材４０による）を得て変形し、この変形によって法面２００またはその上のラス網２１０の凹凸になじむことになるからである。
【００４８】
この流亡防止材１０の軟質部１１が、変形して法面２００またはその上のラス網２１０の凹凸になじめば、図３〜図５あるいは図９〜図１２に示すように、当該流亡防止材１０は法面２００上での「堰」を形成することになる。このため、当該流亡防止材１０の上側から流れてきた土砂５０は勿論のこと、基帯２０や後述する植生袋３０が備えていた種子３２、植生基盤材３１、肥料、そして風化した基帯２０や植生袋３０まで「堰き止める」ことになり、これらの流亡を防止するのである。
【００４９】
この流亡防止材１０は、基帯２０を使用した植生帯工法の施工後において、土砂５０や、基帯２０が有していた種子３２や植生基盤材３１等の流亡を防止するのであるから、当該基帯２０を使用した植生帯工法において使用された植生植物の種子３２や根茎は、その発芽や成育条件が整うまで当該流亡防止材１０によって保持されることになる。換言すれば、この基帯２０を使用した植生帯工法は、雨期に限らず施工できるのであり、季節的制限を受けることなく常時施工できるのである。
【００５０】
従って、この請求項２に係る流亡防止材１０は、流亡防止を図ることができるだけでなく、植生を行うための基帯２０と法面２００との間の「不陸（隙間）」を容易に解消できて、季節を問わず効率的な植生帯工法が行えるようにするのである。
【００５１】
さらに、上記課題を解決するために、請求項３に係る発明の採った手段は、後述する最良形態の説明中で使用する符号を付して説明すると、
「法面２００の植生を行う植生工法であって、
法面２００側に当接されて、当該法面２００との間の隙間を埋めることになる軟質部１１と、この軟質部１１上に一体化される硬質部１２とにより構成した流亡防止材１０によって、法面２００上に展開施工した基帯２０を法面２００に保持させるとともに、
この流亡防止材１０の硬質部１２を法面２００に圧接させることによって、軟質部１１が法面２００と流亡防止材１０との間の隙間を埋めるようにしたことを特徴とする植生工法」
である。
【００５２】
すなわち、この請求項３に係る植生工法は、上記請求項１または２で述べたのと同様な、軟質部１１と、この軟質部１１上に一体化される硬質部１２とにより構成した流亡防止材１０を使用するものであり、この流亡防止材１０の軟質部１１によって法面２００と流亡防止材１０との間の隙間（不陸）が埋められるようにしながら施工されるものである。
【００５３】
流亡防止材１０の軟質部１１は、法面２００側に当接されて、当該法面２００との間の隙間を埋めることになるものである。何故なら、この軟質部１１は、その上側に一体化した硬質部１２により変形しないように保持されていて、この硬質部１２からの押圧力を得て変形し、この変形によって法面２００またはその上のラス網２１０の凹凸になじむことになるからである。
【００５４】
この流亡防止材１０の軟質部１１が、変形して法面２００またはその上のラス網２１０の凹凸になじめば、当該流亡防止材１０は法面２００上での「堰」を形成することになる。このため、当該流亡防止材１０の上側から流れてきた土砂５０は勿論のこと、基帯２０や後述する植生袋３０が備えていた種子３２、植生基盤材３１、肥料、そして風化した基帯２０や植生袋３０まで「堰き止める」ことになり、これらの流亡を防止するのである。
【００５５】
従って、この請求項３に係る流亡防止材１０を使用した植生工法は、流亡防止材１０を使用することによって、当該流亡防止材１０の上側から流れてきた土砂５０は勿論のこと、基帯２０や後述する植生袋３０が備えていた種子３２、植生基盤材３１、肥料、そして風化した基帯２０や植生袋３０まで「堰き止める」ことになり、これらの流亡を防止するとともに、基帯２０と法面２００との間の「不陸（隙間）」を容易に解消できて、季節を問わず効率的な施工が行えるものとなっているのである。
【００５６】
上記課題を解決するために、請求項４に係る発明の採った手段は、後述する最良形態の説明中で使用する符号を付して説明すると、
「植生を行うための基帯２０を法面２００上に展開施工して、当該法面２００の植生を行う植生帯工法であって、
法面２００側に当接されて、当該法面２００との間の隙間を埋めることになる軟質部１１と、この軟質部１１上に一体化される硬質部１２とにより構成した流亡防止材１０によって、法面２００上に展開施工した基帯２０を法面２００に保持させるとともに、
この流亡防止材１０の硬質部１２を法面２００に圧接させることによって、軟質部１１が法面２００と流亡防止材１０との間の隙間を埋めるようにしたことを特徴とする植生帯工法」
である。
【００５７】
すなわち、この請求項４に係る植生帯工法は、上記請求項２で述べたのと同様な、軟質部１１と、この軟質部１１上に一体化される硬質部１２とにより構成した流亡防止材１０を使用するものであり、この流亡防止材１０の軟質部１１によって法面２００と流亡防止材１０との間の隙間（不陸）が埋められるようにしながら施工されるものである。
【００５８】
この流亡防止材１０は、上記請求項２に係るものと同様であり、図２または図１３に示すように、軟質部１１と、この軟質部１１上に一体化される硬質部１２とにより構成したものであって、軟質部１１は、法面２００側に当接されて、当該法面２００との間の隙間を埋めることになるものである。何故なら、この軟質部１１は、その上側に一体化した硬質部１２により変形しないように保持されていて、この硬質部１２からの押圧力を得て変形し、この変形によって法面２００またはその上のラス網２１０の凹凸になじむことになるからである。
【００５９】
この流亡防止材１０の軟質部１１が、変形して法面２００またはその上のラス網２１０の凹凸になじめば、図３〜図５あるいは図９〜図１２に示すように、当該流亡防止材１０は法面２００上での「堰」を形成することになる。このため、当該流亡防止材１０の上側から流れてきた土砂５０は勿論のこと、基帯２０や後述する植生袋３０が備えていた種子３２、植生基盤材３１、肥料、そして風化した基帯２０や植生袋３０まで「堰き止める」ことになり、これらの流亡を防止するのである。
【００６０】
従って、この請求項４に係る流亡防止材１０を使用した植生帯工法は、流亡防止材１０を使用することによって、流亡防止を図ることができることは勿論、基帯２０と法面２００との間の「不陸（隙間）」を容易に解消できて、季節を問わず効率的な施工が行えるものとなっているのである。
【００６１】
また、以上の課題を解決するために、請求項５に係る発明の採った手段は、後述する最良形態の説明中で使用する符号を付して説明すると、
「法面２００の植生を行うための植生材１００であって、
法面２００上に敷設されることになる基帯２０と、この基帯２０を法面２００上に保持させる流亡防止材１０とを備え、
この流亡防止材１０を、法面２００側に当接されて、当該法面２００との間の隙間を埋めることになる軟質部１１と、この軟質部１１上に一体化される硬質部１２とにより構成して、
この硬質部１２が、これ自体の自重、または、この硬質部１２を固定部材４０により法面２００に固定したときの力によって、軟質部１１の全体を押圧するようにしたことを特徴とする植生材１００」
である。
【００６２】
この請求項５に係る植生材１００は、図１または図８に示すように、法面２００上に展開されることになる基帯２０と、この基帯２０の展開前または後に、基帯２０上、またはこの基帯２０と法面２００との間、あるいは基帯２０自身に形成した収納部内（図示せず）に配置あるいは収納されることになる流亡防止材１０とを備えたものであり、この流亡防止材１０は請求項２に係るそれと同様なものである。
【００６３】
すなわち、この植生材１００は、図１、または図８の（ａ）に示すように、上述してきた流亡防止材１０と、基帯２０とを備えたものであり、これらの流亡防止材１０及び基帯２０を、工場で予め一体化して構成されることもあるし、法面２００上に展開した後の基帯２０を、流亡防止材１０によって現場にて法面２００上に押さえ付けるようにすることもある。
【００６４】
さて、上記のような植生材１００を施工した法面２００にあっては、図３〜図５あるいは図９〜図１２に示すように、法面２００自体が有している凹凸や、法面２００上のラス網２１０によって形成されている凹凸が、流亡防止材１０の押し潰された軟質部１１によって埋められて、「不陸（隙間）」が解消される。このため、各流亡防止材１０は、法面２００上に「堰」を形成することになるから、種子３２や土砂５０を受け止めることになり、これらの種子３２や土砂５０の流亡を防止するのである。
【００６５】
また、この植生材１００を構成している基帯２０は、流亡防止材１０を取り付けたものであっても、そうでないものであっても、巻回しておくことができるものであるから、当該植生材１００の運搬や保管、そして展開が容易に行えるのである。つまり、本発明に係る植生材１００は、高所での施工は勿論、法枠内（小面積）での施工も、容易に行えるものとなっているのである。
【００６６】
そして、この植生材１００は、例えば冬季に施工しておいても、その各流亡防止材１０が法面２００上に「堰」を形成することになって種子３２や土砂５０を受け止め、これらの種子３２や土砂５０の流亡を防止するのであるから、結果的に季節を問わない施工が行えるものとなっているのである。
【００６７】
従って、この請求項５に係る植生材１００は、流亡防止材１０や基帯２０と法面２００戸の間の「不陸（隙間）」を容易に解消できて、季節を問わず効率的な植生帯工法が行えるものとなっているのである。
【００６８】
また、上記課題を解決するために、請求項６に係る発明の採った手段は、上記請求項５に記載の植生材１００について、
「流亡防止材１０は法面２００上に圧接する押圧部材４０を備えたこと」
である。
【００６９】
上記請求項５の植生材１００では、これを構成している流亡防止材１０が確実に法面２００上に圧接されることが好ましいが、この請求項６の植生材１００で圧接は、押圧部材４０によって確実に行えるものとなる。この押圧部材４０は、当該植生材１００に一体化されている必要はないが、施工現場で流亡防止材１０を法面２００に圧接できるようになっていればよい。
【００７０】
このような機能を発揮する押圧部材４０としては、前述したように、アンカー、目串、杭、この杭を利用する縄等、様々な土木資材が採用できるが、図９等に示すような「首」を有するアンカーが、持ち運びする上でも施工する上でも最も簡便である。
【００７１】
従って、この請求項６に係る植生材１００は、上記請求項５のそれと同様な機能を発揮する他、流亡防止材１０の法面２００に対する圧接を簡単に行えるものとなっているのである。
【００７２】
そして、以上の課題を解決するために、請求項７に係る発明の採った手段は、上記請求項５または請求項６の植生材１００について、
「基帯２０は植生袋３０を備えたものであること」
としたことである。
【００７３】
この請求項７の植生材１００では、図６中の実線、図８の（ｂ）または図９中の仮想線、あるいは図１４中の実線にて示したように、基帯２０が植生袋３０を備えたものとしたものであり、この場合、植生袋３０は基帯２０の上側に取り付けてもよく、基帯２０の裏面側に取り付けるようにしたものであってもよいものである。また、この植生袋３０の基帯２０に対する取付方法としては、図７あるいは図１５にも示すように、基帯２０に、法面２００に施工したとき横方向となる方向の収納部２１を形成しておき、この収納部２１内に植生袋３０を挿入するように実施してもよいものである。
【００７４】
この植生袋３０は、図７及び図１５中に示すように、紙や自然繊維で生分解し易い材料によって形成した袋内に、種子３２、この種子３２のための植生基盤材３１のいずれか少なくとも一種を閉じ込んだものである。さらに、植生基盤材３１としては、一般的な肥料は勿論、土砂、土壌改良材、成育基盤材等、「植生」に必要あるいは好ましい種々な物質のいずれか少なくとも一種がある。
【００７５】
以上のような植生袋３０を有する基帯２０を法面２００上に展開して各流亡防止材１０によって基帯２０の支持を行えば、雨等によって植生袋３０の袋が自然に破壊されて、中の植生基盤材３１や種子３２が法面２００上にこぼれ落ちる。勿論、中には、基帯２０に止まった袋の一部に種子３２が止まったままとなることもある。そして、これらの種子３２が法面２００上や植生袋３０の残渣内で発芽して成育し、植生が進行する。
【００７６】
ここで、発芽する前に雨等によって種子３２が流れたとしても、法面２００上の随所で「堰」を形成している上記流亡防止材１０によって止まることになるから、法面２００外へ流亡してしまうことはない。このため、ここでも、これらの種子３２が法面２００上や植生袋３０の残渣内で発芽して成育し、植生が進行する。
【００７７】
従って、この請求項７に係る植生材１００は、上記請求項５または請求項６のそれと同様な機能を発揮する他、植生袋３０を基帯２０に取り付けたことによって、種子３２の法面２００上への分散と、発芽、成育をより確実に行えるものとなっている。
【発明の効果】
【００７８】
以上、説明した通り、請求項１に係る発明においては、
「植生が行われる法面２００上の横方向に設置される流亡防止材１０であって、
この流亡防止材１０を、法面２００側に当接されて、当該法面２００との間の隙間を埋めることになる軟質部１１と、この軟質部１１上に一体化される硬質部１２とにより構成して、
この硬質部１２が、これ自体の自重、または、この硬質部１２を固定部材４０により法面２００に固定したときの力によって、軟質部１１の全体を押圧するようにしたこと」
にその構成上の特徴があり、これにより、流亡防止を図ることができて、季節を問わず効率的に施工できる、植生のための流亡防止材１０を簡単な構成によって提供することができるのである。
【００７９】
また、請求項２に係る発明においては、
「植生を行うための基帯２０を法面２００上に保持すべく、当該法面２００上の横方向に設置される流亡防止材１０であって、
この流亡防止材１０を、法面２００側に当接されて、当該法面２００との間の隙間を埋めることになる軟質部１１と、この軟質部１１上に一体化される硬質部１２とにより構成して、
この硬質部１２が、これ自体の自重、または、この硬質部１２を固定部材４０により法面２００に固定したときの力によって、軟質部１１の全体を押圧するようにしたこと」
にその構成上の特徴があり、これにより、流亡防止を図ることができるだけでなく、植生を行うための基帯２０（植生帯）と法面２００との間の「不陸（隙間）」を容易に解消できて、季節を問わず効率的な植生帯工法が行える流亡防止材１０を簡単な構成によって提供することができるのである。
【００８０】
さらに、請求項３に係る発明においては、
「法面２００の植生を行う植生工法であって、
法面２００側に当接されて、当該法面２００との間の隙間を埋めることになる軟質部１１と、この軟質部１１上に一体化される硬質部１２とにより構成した流亡防止材１０を、当該法面２００上の横方向に設置するとともに、
この流亡防止材１０を前記硬質部１２にて法面２００に圧接させることにより前記軟質部１１を変形させて、当該軟質部１１が法面２００と流亡防止材１０との間の隙間を埋めるようにしたことを特徴とする植生工法」
にその特徴があり、これにより、流亡防止を図ることができて、植生のために、季節を問わず効率的な施工が行える流亡防止材１０を使用した植生工法を提供することができるのである。
【００８１】
また、請求項４に係る発明においては、
「植生を行うための基帯２０を法面２００上に展開施工して、当該法面２００の植生を行う植生帯工法であって、
法面２００側に当接されて、当該法面２００との間の隙間を埋めることになる軟質部１１と、この軟質部１１上に一体化される硬質部１２とにより構成した流亡防止材１０によって、法面２００上に展開施工した前記基帯２０を法面２００に保持させるとともに、
この流亡防止材１０を前記硬質部１２にて法面２００に圧接させることによって、前記軟質部１１が法面２００と流亡防止材１０との間の隙間を埋めるようにしたことを特徴とする植生帯工法」
にその特徴があり、これにより、流亡防止を図ることができることは勿論、基帯２０と法面２００との間の「不陸（隙間）」を容易に解消できて、季節を問わず効率的な施工が行える流亡防止材１０を使用した植生帯工法を提供することができるのである。
【００８２】
そして、請求項５に係る発明においては、
「法面２００の植生を行うための植生材１００であって、
法面２００上に敷設されることになる基帯２０と、この基帯２０を法面２００上に保持させる流亡防止材１０とを備え、
この流亡防止材１０を、法面２００側に当接されて、当該法面２００との間の隙間を埋めることになる軟質部１１と、この軟質部１１上に一体化される硬質部１２とにより構成して、
この硬質部１２が、これ自体の自重、または、この硬質部１２を固定部材４０により法面２００に固定したときの力によって、軟質部１１の全体を押圧するようにしたこと」
にその構成上の特徴があり、これにより、流亡防止を図ることができることは勿論、基帯２０と法面２００との間の「不陸（隙間）」を容易に解消できて、季節を問わず効率的な施工が行える流亡防止材１０を使用した植生材１００を提供することができるのである。
【図面の簡単な説明】
【００８３】
【図１】本発明に係る植生材１００の施工例を示すもので、植生袋３０を有さない植生材１００を施工した法面２００の断面図である。
【図２】同植生材１００の最もシンプルな形態を示す展開部分斜視図である。
【図３】図１中に示した２本の流亡防止材１０の間を拡大して示した法面２００の断面図である。
【図４】図４中の１本の流亡防止材１０の周囲の拡大断面図である。
【図５】ラス網２１０を採用した法面２００において施工した流亡防止材１０の周囲の拡大断面図である。
【図６】本発明に係る植生材１００の施工例を示すもので、植生袋３０を備えた植生材１００を施工した法面２００の断面図である。
【図７】植生材１００を構成している基帯２０の他の例を示す部分斜視図である。
【図８】本発明に係る植生材１００の施工例を示すもので、（ａ）は植生袋３０を有さない植生材１００を施工した法面２００の断面図、（ｂ）は植生袋３０を備えた植生材１００を施工した法面２００の断面図である。
【図９】図８中に示した２本の流亡防止材１０の間を拡大して示した法面２００の断面図である。
【図１０】図９中の１本の流亡防止材１０の周囲の拡大断面図である。
【図１１】法面２００上のラス網２１０が敷設してある場合の２本の流亡防止材１０間の部分拡大断面図である。
【図１２】図１１中の１本の流亡防止材１０の周囲を示す拡大断面図である。
【図１３】本発明に係る植生材１００の最もシンプルな形態を示す展開部分斜視図である。
【図１４】同植生材１００の部分拡大縦断面図である。
【図１５】同植生材１００を構成している基帯２０の他の例を示す部分斜視図である。
【図１６】従来の一般的な法枠内に吹き付け工法を施工している様子を示す部分断面図である。
【発明を実施するための形態】
【００８４】
以上のように構成した各請求項に係る発明を、図面に示した各実施の形態に従って説明するが、これらの実施形態は上記各請求項に係る発明を含むものであり、実施例１と実施例２がある。
【００８５】
（実施例１）
図１〜図７には、流亡防止材１０、これを使用した植生帯工法、及び植生材１００を含んだ第１実施例が示してあり、流亡防止材１０は、図１〜図５に示したように、法面２００上に展開されることになる基帯２０を、この基帯２０の展開後または前に、法面２００上に固定するものである。そのために、この流亡防止材１０は、図２に示したように、法面２００側に当接されて、当該法面２００との間の隙間を埋めることになる軟質部１１と、この軟質部１１上に一体化される硬質部１２とを備えたものであって、基帯２０の幅程度の長さを有して、法面２００の横方向に配置される。
【００８６】
この流亡防止材１０によって基帯２０を法面２００に固定するには、図２及び図７に示したように、流亡防止材１０自体の重量を利用するか、当該流亡防止材１０を法面２００と展開した基帯２０との間に収納して、当該流亡防止材１０を後述する押圧部材４０等によって法面２００に対して固定する。あるいは、基帯２０が収納部（図示せず）を有するものであれば、この収納部内に当該流亡防止材１０を収納するようにしてもよい。
【００８７】
この流亡防止材１０の軟質部１１は、当該流亡防止材１０が法面２００側に圧接されたとき、その軟質性によって法面２００自体やラス網２１０の凹凸に応じて変形するものであり、図３または図４に示したように、当該軟質部１１と法面２００との間の不陸（隙間）を埋めるものである。
【００８８】
また、この軟質部１１は、図５に示したように、法面２００上に張設したラス網２１０自体の編み目内を埋めるだけでなく、この編み目を通して法面２００に達することによりラス網２１０と法面２００との間の隙間を埋めて、これらの間の不陸を解消するものである。
【００８９】
このため、この軟質部１１を形成する材料としては、合成樹脂製のスポンジの他、ヤシガラ繊維等の自然繊維、あるいは紙繊維がある。これらの自然繊維や、紙繊維等を採用する場合には、押せば潰れる程度、つまり上述した軟質性が確保できる程度の構造材として実施してもよい。
【００９０】
このように、軟質部１１を、合成樹脂製のスポンジ、ヤシガラ繊維等の自然繊維、あるいは紙繊維によって形成すると、軟質性は勿論、「透水性」をも有したものとすることができるから有利である。この軟質部１１が透水性を有していれば、当該軟質部１１が水だけを下流側に流して、植生基盤材３１や種子３２等を堰き止めるからである。また、この軟質部１１が透水性であれば、軟質部１１自体がある程度の「保水力」も有することになるから、堰き止めた種子３２等のための発芽あるいは成育条件を整えることにもなるからである。
【００９１】
硬質部１２は、その硬質性によって、上記軟質部１１を下面にて支持することは勿論、図３〜図５に示したように、その自重によって軟質部１１を押圧するか、押圧部材４０によって法面２００に固定されたとき軟質部１１を押圧することになるものである。
【００９２】
この硬質部１２は、上記の機能を発揮できるのであれば、その材料については特に限定されないが、コンクリートによって形成することにより押圧のための自重を大きくしたり、木材によって構成することにより、流亡防止材１０のコストを低減させたり、当該硬質部１２に基帯２０を取り付け必要がある場合の、留め材１３にての留め作業を簡単にする。
【００９３】
基帯２０は、現状では種々なタイプのものがあり、前述したように、例えば図６に示したように網状にしたもの、自然繊維から形成したシート状のもの、あるいは、シート状より厚いマット状のものなど、種々なものがある。
【００９４】
また、この基帯２０は、植生基盤材３１、種子３２、肥料、土壌改良材の何れか少なくとも一種を備えたもの、あるいはこれらの植生基盤材３１、種子３２、肥料、土壌改良材の何れか少なくとも一種を入れた植生袋３０を設けたもの等、植生に必要なものを備えたものであってもよい。
【００９５】
なお、種子３２としては、当該植生材１００自体が予め備えていたか、あるいは植生材１００に設けてあった植生袋３０内にあったものは勿論、自然に飛来してきたものがある。同様に、土砂５０についても、当該植生材１００自体が有していたものや、当該流亡防止材１０上の法面２００表面から流れ落ちて来たものがある。
【００９６】
何れにしても、この基帯２０は、展開する前には巻回しておくことができて、法面２００の上端から転がすと法面２００上への展開が容易に行える程度の可撓性を有したものである。勿論、図２に示したように、上述した流亡防止材１０の軟質部１１が容易に入り込める程度の「目」を有していたり、図７または図１５に示したような収納部２１を有したものである。
【００９７】
押圧部材４０は、流亡防止材１０がこれのみで基帯２０を法面２００側に圧接する十分な重量を有していない場合等に採用されるものであるが、具体的にはアンカーや杭が採用され、法面２００上に当該流亡防止材１０を圧接してその状態を維持できるのであれば、目串や縄のようなその他の土木資材であってもよいものである。
【００９８】
植生材１００は、図１に示したように、法面２００上に展開されることになる上述した基帯２０と、この基帯２０の展開前または後に、基帯２０上、またはこの基帯２０と法面２００との間、あるいは基帯２０自身に形成した収納部内（図示せず）に配置あるいは収納されることになる上述した流亡防止材１０とを備えたものである。
【００９９】
すなわち、この植生材１００は、図１に示したように、上述してきた流亡防止材１０と、基帯２０とを備えたものであり、これらの流亡防止材１０及び基帯２０は、工場で予め一体化したり、法面２００上に展開した後の基帯２０を、流亡防止材１０によって現場にて固定する（この際、上述したアンカーや杭を使用することもある）等、種々な植生帯工法が実施できるものである。
【０１００】
（実施例２）
図８〜図１５には、流亡防止材１０、これを使用した植生帯工法、及び植生材１００を含んだ第２実施例が示してあり、この第２実施例と上記第１実施例での共通する各部材については、第１実施例中で使用したのと同一の符号を使用する。また、この第２実施例の説明中では、上記第１実施例で説明した部材と同一部材については、図８〜図１５中に同一符号を付してその説明を省略することがある。
【０１０１】
図８には、本発明に係る植生材１００によって施工した法面２００の断面が２種類示してある。図８の（ａ）では、法面２００の表面に対して横方向に配置される複数の流亡防止材１０によって基帯２０を支えながら施工した例が示してあり、図８の（ｂ）では、その基帯２０に植生袋３０を設けたものを採用した例が示してある。
【０１０２】
植生材１００を構成するための基帯２０としては、本実施形態では、図１３及び図１４に示したような網状体を採用したが、これに限られるものではない。この基帯２０は、例えば、生分解可能な自然繊維をそのまま使用したり、あるいは合成繊維に混紡したりして、シート状に形成したものや、シートを厚くしたことになるマット状のものであってもよい。
【０１０３】
また、この基帯２０を網状体とした場合には、後述する流亡防止材１０によって支えられる部分は「疎」にして材料を節約し、法面２００に直接接触して目串などによって固定され得る部分を「密」にして、この部分の下側になっている法面２００の土砂の流亡を防止するように構成してもよい。
【０１０４】
さらに、この基帯２０を網状体とした場合には、図１５に示したように、その一部に法面２００の横方向に位置することになる収納部２１を形成するようにしてもよい。この収納部２１内には、種子３２や植生基盤材３１を収納した植生袋３０を収納しておき、自然に破れた植生袋３０から零れた種子３２や植生基盤材３１を、収納部２１の編み目から法面２００上に自然落下し得るようにするのである。
【０１０５】
以上のようにした基帯２０の適宜位置には、複数の流亡防止材１０が取り付けられる。これらの流亡防止材１０の基帯２０に対する取付は、工場において行ってもよいし、基帯２０を法面２００上に展開した後に施工現場で行ってもよい。
【０１０６】
この流亡防止材１０は、図９〜図１４に示したように、法面２００側に当接される軟質部１１と、この軟質部１１上に一体化されて、基帯２０に取り付けられる硬質部１２とにより構成したものである。
【０１０７】
本実施形態における軟質部１１は、例えばスポンジによって形成したものであり、当該流亡防止材１０をアンカーや目串等の押圧部材４０等によって法面２００側に圧接されたとき、その軟質性及び可撓性によって法面２００自体やラス網２１０の凹凸になじみ、図９〜図１２に示したように、当該軟質部１１と法面２００またはラス網２１０との間の隙間を埋めて、これらの間の不陸（隙間）を解消するものである。つまり、この軟質部１１は、法面２００側、すなわち、ラス網２１０が張設されていない法面２００においては、図９及び図１０に示したように、法面２００そのものの上に直接、ラス網２１０が張設されている法面２００においては、図１１及び図１２に示したように、ラス網２１０上に当接されるものである。
【０１０８】
この軟質部１１を形成する材料としては、上記のスポンジの他、ヤシガラ繊維等の自然繊維、あるいは紙繊維がある。これらの自然繊維や、紙繊維等を採用する場合には、押せば潰れる程度、つまり上述した軟質性が確保できる程度の構造材として実施してもよい。
【０１０９】
この軟質部１１には、図１３に示したように、多数の切り込み１４を入れておくと都合がよい。当該軟質部１１を構成材の１つとする流亡防止材１０は、上述したように押圧部材４０等を使用して法面２００に対して押圧状体で固定されるものであるが、この押圧時に、各切り込み１４によって当該軟質部１１がより変形し易くなって、法面２００自体やラス網２１０の凹凸になじみ易くなるからである。
【０１１０】
また、流亡防止材１０を構成している本実施形態の硬質部１２は木材によって構成した。木材は、安価に入手できるし、当該硬質部１２に基帯２０を取り付けるに当たって、留め材１３にて図１０や図１２に示したように簡単に行えるため、有利である。この硬質部１２は、その硬質性によって、上記軟質部１１を下面にて支持することは勿論、上面にて基帯２０を支持することになる。
【０１１１】
図１３に示した実施形態の植生材１００では、基帯２０として網状体を採用して、この網状体に対しては、種子３２やその肥料が添着してある。この植生材１００は植物による法面２００の保護を積極的に行うものだからである。一方、図１４に示した実施形態の植生材１００では、その基帯２０に対して、図９及び図１４に示したように、植生基盤材３１、種子３２、肥料、土壌改良材の何れか少なくとも一種を備えたもの、あるいはこれらの植生基盤材３１、種子３２、肥料、土壌改良材の何れか少なくとも一種を入れた植生袋３０を設けたり、あるいは図１５に示したように、基帯２０の収納部２１内にこの植生袋３０を収納してある。
【０１１２】
植生袋３０は、水に溶解し易い材料や生分解し易い材料によって形成した袋内に、植生基盤材３１、種子３２、肥料、土壌改良材の何れか少なくとも一種を備えたもの、あるいはこれらの植生基盤材３１、種子３２、肥料、土壌改良材の何れか少なくとも一種を収納したものであり、これらの種子３２や植生基盤材３１を法面２００に対して広く分散できるようにするとともに、雨が降ったときに、これらの種子３２や植生基盤材３１を法面２００上に散布できるようにしたものである。つまり、この植生袋３０は、当該植生材１００の施工直後に植生を行うものではなく、一定の時間が経過して時が来れば植生が行われるようにする一種の時期調整具である。勿論、法面２００上の堰となる各流亡防止材１０も、前述したように一種の時期調整具である。この場合の来るべき「時期」とは、種子３２の発芽や植生植物の成育に適した温度や湿度が十分な季節のことである。
【０１１３】
換言すれば、当該植生材１００は、植生植物の発芽あるいは成育に適した時期でなくても施工が実施できるものであり、これによる緑化コストを低減させることができるものなのである。
【符号の説明】
【０１１４】
１００ 植生材
１０ 流亡防止材
１１ 軟質部
１２ 硬質部
１３ 留め材
１４ 切り込み
２０ 基帯
２１ 収納部
３０ 植生袋
３１ 植生基盤材
３２ 種子
４０ 押圧部材
５０ 土砂
２００ 法面
２１０ ラス網
【図１】
0005513233.tif 000002
【図２】
0005513233.tif 000003
【図３】
0005513233.tif 000004
【図４】
0005513233.tif 000005
【図５】
0005513233.tif 000006
【図６】
0005513233.tif 000007
【図７】
0005513233.tif 000008
【図８】
0005513233.tif 000009
【図９】
0005513233.tif 000010
【図１０】
0005513233.tif 000011
【図１１】
0005513233.tif 000012
【図１２】
0005513233.tif 000013
【図１３】
0005513233.tif 000014
【図１４】
0005513233.tif 000015
【図１５】
0005513233.tif 000016
【図１６】
0005513233.tif 000017